(57)【要約】【課題】複数台の携帯電話機の記憶データのバックアップを１台の充電装置により容易に行うこと。【解決手段】スイッチ１６がオフの場合に、携帯電話機２を充電装置１に装着すると、制御部１２は携帯電話機２のメモリ２３からデータを読み出してサブメモリ１４に一旦保持した後、携帯電話機２の電話番号に関連付けてメインメモリ１３に記憶する。スイッチ１６がオンの場合は、携帯電話機２の電話番号に関連付けてメインメモリ１３に記憶されているデータを読み出して携帯電話機２のメモリ２３に転送する。これにより、複数台の携帯電話機２のメモリバックアップを１台の充電装置１により行うことができる。【選択図】      図１
2004274528.tif 000002
【特許請求の範囲】
【請求項１】
電子機器の二次電池を充電する充電装置であって、
前記二次電池に充電電圧を供給する電源手段と、
前記電子機器との間でデータの入出力を行うデータ入出力手段と、
前記電子機器から読み出されたデータを記憶する記憶手段と、
前記電子機器に割当てられた識別情報及び前記電子機器に記憶された設定データを前記データ入出力手段を介して前記電子機器から読み出し、前記識別情報と前記設定データを関連付けて前記記憶手段に記憶する制御手段と
を備えることを特徴とする充電装置。
【請求項２】
さらに切換手段を備え、
前記制御手段は、前記切換手段が第１の状態に設定されていれば、前記電子機器から読み出された前記識別情報及び前記設定データを前記記憶手段に記憶し、
前記切換手段が第２の状態に設定されていれば、前記電子機器から読み出された前記識別情報と一致する識別情報が前記記憶手段に記憶されているか判定し、当該一致する識別情報があれば、当該識別情報に関連付けて前記記憶手段に記憶されている前記設定データを前記データ入出力手段を介して前記電子機器に転送する
ことを特徴とする請求項１に記載の充電装置。
【請求項３】
さらに前記データ入出力手段を介して前記電子機器から読み出された少なくとも前記設定データを一時記憶する第２の記憶手段
を備えることを特徴とする請求項１又は２に記載の充電装置。
【請求項４】
前記電子機器は携帯電話機であり、且つ前記識別情報は前記携帯電話機に割当てられた電話番号である
ことを特徴とする請求項１乃至３いずれかに記載の充電装置。
【請求項５】
電子機器に記憶された設定データをバックアップする方法であって、
前記電子機器に搭載された二次電池を充電する際、前記電子機器の識別情報及び前記電子機器に記憶された前記設定データを読み出す読出ステップと、
読み出された前記識別情報及び前記設定データを関連付けて充電装置に搭載された記憶手段に記憶する記憶ステップと
を備えることを特徴とする方法。
【請求項６】
電子機器に記憶された設定データのバックアップ用の記憶手段から前記設定データを読み出して前記電子機器に転送する方法であって、
前記電子機器に搭載された二次電池を充電する際、前記電子機器の識別情報を読み出す読出ステップと、
前記設定データが記憶された前記記憶手段に、読み出された前記識別情報と一致する識別情報が存在するか否か判定する判定ステップと、
前記一致する識別情報が存在する場合には、当該識別情報に関連付けられた前記設定データを前記記憶手段から読み出して前記電子機器に転送する転送ステップと
を備えることを特徴とする方法。
【発明の詳細な説明】
【０００１】
【発明の属する技術分野】
本発明は、携帯電話機等の充電を必要とする電子機器の充電装置に係り、特に電子機器に搭載されているメモリの記憶内容をバックアップする方法及びバックアップデータを前記メモリに転送する方法に関する。
【０００２】
【従来の技術】
従来より、携帯電話機等でユーザが設定する短縮ダイアルやアドレス帳等或いはショートメールや電子メール等の諸データは携帯電話機のメモリに記憶されている。しかし、何らかの原因で携帯電話機のメモリ内容が消失してしまった場合や、携帯電話機を例えば水に落として使用不能となったため新品と交換した場合等、上記した諸データ（以下、これを設定データと呼ぶ）は失われている。
【０００３】
このように携帯電話機の設定データが消失してしまった場合、ユーザが改めて諸データを設定すれば良いが、これに手間がかかると共に、設定事項を忘れる等して元通り復元することができない場合もある。
【０００４】
そこで、上記のような事態を回避するために、従来は、携帯電話機をパソコンに接続して、そのメモリの設定データをパソコンに記憶させてバックアップしておく。その後、携帯電話機の設定データが消失してしまったような場合、パソコンでバックアップした設定データを携帯電話機のメモリに転送して、メモリ内容を元通りの状態に復元することができる。
【０００５】
しかし、携帯電話機の設定データをパソコンでバックアップする場合、パソコンが必要で且つ、パソコンの操作ができなければならないため、誰もが手軽にできる方法ではない。また、パソコンの操作ができても、携帯電話機の設定データが更新される度にこの設定データをパソコンでバックアップする作業をしなければならず、それが煩わしいため、必ずしも最新の設定データがバックアップされるとは限らなかった。
【０００６】
ところで、携帯電話機のメモリをバッテリパックに装備すると共に、携帯電話機の充電器にもメモリを装備し、この充電器側のメモリに携帯電話機のメモリに記憶されているデータを予め転送しておき、携帯電話機のメモリ内容が消失した時、充電時に充電器側のメモリに保存しておいた前記データを携帯電話機のメモリに転送して、一旦消失したデータを携帯電話機のメモリに復元する構成とすることにより、携帯電話機からメモリバックアップ用の電池を不要として低価格化を図った公知例がある（例えば特許文献１）。
【０００７】
【特許文献１】
特開平５−９５３２４号公報（第４−５頁、第１図）
【０００８】
【発明が解決しようとする課題】
【０００９】
しかし、上記公知例では、メモリバックアップ用の電池を削除することを意図したもので、単に携帯電話機のメモリ内のデータをコピーしているに過ぎず、複数台の携帯電話機のデータをバックアップしようとすると、そのようなバックアップができないおそれがある。近年、携帯電話機の普及が著しく、一家に複数台の携帯電話機が存在する場合がある。その場合、充電器の設置スペース等の問題から１台の充電器を複数台の携帯電話機で共用することが考えられる。しかしながら、上述の公知例の方法では、充電器にバックアップされたデータが、他の携帯電話機のデータで上書きされ、消失するおそれがある。
【００１０】
本発明は、上述の如き従来の課題を解決するためになされたもので、その目的は、複数台の携帯電話機の記憶データのバックアップを１台で容易に行うことができる充電装置及び前記記憶データをバックアップする方法及びバックアップデータを前記携帯電話機に転送する方法を提供することである。
【００１１】
【課題を解決するための手段】
上記目的を達成するために、本発明の好ましい形態においては、電子機器の二次電池を充電する充電装置は、前記二次電池に充電電圧を供給する電源手段と、前記電子機器との間でデータの入出力を行うデータ入出力手段と、前記電子機器から読み出されたデータを記憶する記憶手段と、前記電子機器に割当てられた識別情報及び前記電子機器に記憶された設定データを前記データ入出力手段を介して前記電子機器から読み出し、前記識別情報と前記設定データを関連付けて前記記憶手段に記憶する制御手段とを備える。
【００１２】
この発明によれば、電子機器を充電する際、この電子機器のメモリに記憶されているデータを当該電子機器の識別情報と関連付けて充電装置の記憶手段に記憶してバックアップすることができ、これにより充電装置を複数の電子機器で共用した場合にも複数の電子機器のデータバックアップを行うことができる。
【００１３】
また、本発明の好ましい形態においては、充電装置はさらに切換手段を備え、前記制御手段は、前記切換手段が第１の状態に設定されていれば、前記電子機器から読み出された前記識別情報及び前記設定データを前記記憶手段に記憶し、前記切換手段が第２の状態に設定されていれば、前記電子機器から読み出された前記識別情報と一致する識別情報が前記記憶手段に記憶されているか判定し、当該一致する識別情報があれば、当該識別情報に関連付けて前記記憶手段に記憶されている前記設定データを前記データ入出力手段を介して前記電子機器に転送する。
【００１４】
この発明によれば、電子機器を充電する際、電子機器の識別情報と関連付けて記憶手段に記憶された設定データを容易に電子機器に転送することができ、設定データを消失した場合にも、容易に元のデータを復元することができる。
【００１５】
さらに本発明の好ましい形態においては、充電装置は、さらに前記データ入出力手段を介して前記電子機器から読み出された少なくとも前記設定データを一時記憶する第２の記憶手段を備える。
【００１６】
この発明によれば、電子機器から読み出したデータを一旦第２の記憶手段に保持し、電子機器から読み出したデータが正常に読み出された後に第１の記憶手段に転送して記憶させることによって、不完全なデータが第１の記憶手段に記憶されることを排除することができる。
【００１７】
また本発明の好ましい形態においては、前記電子機器は携帯電話機であり、かつ前記識別情報は前記携帯電話機に割当てられた電話番号である。
【００１８】
この発明によれば、携帯電話機の電話番号は１台毎に異なるため識別情報として使用でき、しかも、この識別情報は携帯電話機のメモリに記憶されているため、充電装置の記憶手段により充電対象の携帯電話機から容易に読み出して使用することができる。
【００１９】
さらに本発明の好ましい形態においては、電子機器に記憶された設定データをバックアップする方法は、前記電子機器に搭載された二次電池を充電する際、前記電子機器の識別情報及び前記電子機器に記憶された前記設定データを読み出す読出ステップと、読み出された前記識別情報及び前記設定データを関連付けて充電装置に搭載された記憶手段に記憶する記憶ステップとを備える。
【００２０】
この発明によれば、電子機器を充電する際に、電子機器に記憶されたデータを当該電子機器の識別情報と関連付けて充電装置の記憶手段に容易に記憶することができる。
【００２１】
また本発明の好ましい形態においては、電子機器に記憶された設定データのバックアップ用の記憶手段から前記設定データを読み出して前記電子機器に転送する方法は、前記電子機器に搭載された二次電池を充電する際、前記電子機器の識別情報を読み出す読出ステップと、前記設定データが記憶された前記記憶手段に、読み出された前記識別情報と一致する識別情報が存在するか否か判定する判定ステップと、前記一致する識別情報が存在する場合には、当該識別情報に関連付けられた前記設定データを前記記憶手段から読み出して前記電子機器に転送する転送ステップとを備える。
【００２２】
この発明によれば、電子機器を充電する際、当該電子機器の識別情報を判別して、充電装置に記憶されているデータを当該電子機器に転送することができる
【００２３】
【発明の実施の形態】
以下、本発明の実施の形態を図面に基づいて説明する。図１は、本発明の一実施の形態に係る充電装置の構成を示したブロック図である。充電装置１はＡＣ電源（１００Ｖ）を所定の直流電源に変換するＡＣ−ＤＣコンバータ等を有する電源部１１、充電先の携帯電話機２のメモリ２３の記憶データをバックアップするための制御を行う制御部１２、携帯電話機２の記憶データのバックアップ用のメモリであって電源がなくても記憶保持動作が可能なメインメモリ１３、携帯電話機２から読み出したデータを一時的に記憶するサブメモリ１４、充電先の携帯電話機２との間でデータを入出力するための入出力インターフェース１５、携帯電話機２と充電装置１間のデータの転送方向を切り換えるスイッチ１６、充電装置１の動作状態を示すＬＥＤ１７、１８を有している。
【００２４】
充電装置１に着脱自在に装着される携帯電話機２は、携帯電話機２の全体の動作を制御する制御部２１、音声やデータの送受信を行う無線部２２、ユーザ設定データ及び自局の電話番号等を記憶するメモリ２３、電話番号や各種の設定情報等をキー入力するキー入力部２４、充電装置１との間でデータの入出力を行う入出力インターフェース２５、送受信用アンテナ２６、携帯電話機２の電源であるバッテリパック２７、携帯電話の動作に関わる各種情報を表示する表示部（ＬＣＤ等）２８を有している。
【００２５】
図２は図１に示した充電装置１のメインメモリ１３の記憶領域の構成を示した模式図である。１３１は充電先の携帯電話機２の識別情報いわゆるＩＤ（本例の場合は携帯電話機２に割り当てられている電話番号が用いられるが、その他のＩＤ情報、例えば製造番号を用いても良い）を登録する領域である。１３２は携帯電話機から読み出されたデータを、その携帯電話機のＩＤと関連付けて記憶するデータ保存領域である。なお、ＩＤの登録は、登録領域１３１の登録スペースが全て埋まるまでの限度で複数個の登録が可能になっている。
【００２６】
次に本実施の形態の動作について説明する。携帯電話機２のユーザは短縮ダイアル設定や電話帳の設定等をキー入力部２４を用いて行うと、制御部２１により設定データがメモリ２３に記憶され、以降、ダイアル発信時等にこの設定データを用いて簡便な操作により相手先に発信することができる。
【００２７】
携帯電話機２のバッテリパック２７内の充電量が減って来ると、制御部２１がこれを検知して表示部２８等で知らせるため、ユーザは携帯電話機２を充電装置１に着脱自在に装着（セット）して、バッテリパック２７への充電を行う。なお、通常、スイッチ１６はオフとする。
【００２８】
しかし、何らかの理由で携帯電話機２のメモリ２３内の設定データが消失したり、或いは携帯電話機を新品と交換したような場合で、以前持っていた携帯電話機と同様のユーザ設定データを設定したい場合はスイッチ１６をオンした後に携帯電話機２を充電装置１に装着する。
【００２９】
図３は携帯電話機２への充電時の充電装置１の動作を示したフローチャートである。携帯電話機２を充電装置１にセットすると（ステップＳ１）、図１に示した如く、携帯電話機２と充電装置１が図示せぬ充電端子を介して接続され、電源部１１と携帯電話機２のバッテリパック２７とが閉ループで接続される。これにより電源部１から充電電圧として所定の電圧（例えば５．８Ｖ）の直流電源が携帯電話機２のバッテリパック２７に供給されて、充電が開始される（ステップＳ２）。なお、電源部１１は、携帯電話機２の装着に拘らず、ＡＣ電源が接続されている限り、充電装置１内の各回路ブロックに電源を供給している。
【００３０】
制御部１２は電源部１１の出力電流値等から充電開始を検出すると、携帯電話機２の制御部２１にＩＤ情報と設定データの送信要求を出すため、制御部２１はメモリ２３内の自局の電話番号を読み出すと共に、設定データを読み出して充電装置１の制御部１２に送信する。これにより、制御部１２は携帯電話機２の電話番号及び設定データを読み取って（ステップＳ３）サブメモリ１４に一旦記憶する。
【００３１】
その後、スイッチ１６の状態を検出してそれがオフであるかどうかを判断し  （ステップＳ４）、オフであれば読み取った携帯電話機２の電話番号がメインメモリ１３の登録領域１３１に登録されているかどうか判断し（ステップＳ５）、登録されていれば、この電話番号に対応したメインメモリ１３のデータ格納領域１３２にサブメモリ１４に一旦保存した設定データを書き込んで（上書き）（ステップＳ６）、処理を終了する。
【００３２】
なお、上記ステップＳ３からステップＳ６までの携帯電話機２の設定データのバックアップのための一連の処理をしている間、制御部１２はＬＥＤ１７を点灯させて、バックアップ処理をしていることをユーザに報知する。
【００３３】
ところで、携帯電話機２の電話番号がメインメモリ１３内に登録されていない場合は（ステップＳ５）、メインメモリ１３に登録スペースがあるかどうかを判断し（ステップＳ７）、登録スペースがない場合、制御部１２はＬＥＤ１８を点灯させてデータのバックアップができないことを示して処理を終了する。なお、この場合、携帯電話機２を充電装置１から外さない限り、ＬＥＤ１８は消灯しないように制御されるものとする。
【００３４】
ここで、携帯電話機２から設定データの読み出しが正常終了されず、途中で終わってしまったような場合でスイッチ１６がオフである場合、制御部１２はステップＳ５以降の処理は行わず、この時点で処理を終了する。
【００３５】
また、メインメモリ１３に登録スペースがある場合は（ステップＳ７）、制御部１２は携帯電話機２の電話番号をメインメモリ１３の登録領域１３１に登録した後（ステップＳ８）、ステップＳ６に進んで、登録した電話番号に対応したメインメモリ１３のデータ格納領域１３２にサブメモリ１４に一旦保存した設定データを書き込んで処理を終了する。
【００３６】
一方、スイッチ１６の状態を検出してそれがオンである場合（ステップＳ４）、携帯電話機２の電話番号がメインメモリ１３内の登録領域１３１に登録されているかどうか判断し（ステップＳ９）、登録されていない場合は処理を終了し、登録されている場合は、メインメモリ１３の登録領域１３１から当該登録電話番号に関連付けて書き込まれている設定データを読み出して、携帯電話機２の制御部２１に転送するが（ステップＳ１０）、この時、制御部１２はＬＥＤ１７を点滅してバックアップした設定データの携帯電話機２への転送を表示し、転送が終了すると、ＬＥＤ１７を消灯して処理を終了する。
【００３７】
この充電装置１の処理に応じて、携帯電話機２の制御部２１は充電装置１から転送されてきた設定データをメモリ２３に書き込む。
【００３８】
なお、電源部１１からバッテリパック２７に接続する電源端子と、入出力インターフェース１５、２５と接続するデータ端子とは独立して備えられており、上記各ステップと並行して携帯電話機２への充電を行うことが好ましい。
【００３９】
また図３においては、ステップＳ３で電話番号と設定データを読み取った後、ステップＳ４でスイッチのオンオフを判定しているが、スイッチの判定を行った後、電話番号や設定データを読み取るようにしても良い。すなわちスイッチがオフであれば電話番号と設定データを読み取り、スイッチがオンであれば電話番号のみを読み取るようにしても良い。
【００４０】
本実施の形態によれば、携帯電話機２を充電装置１に装着して充電を行う度に携帯電話機２のメモリ２３の設定データを充電装置１のメインメモリ１３に携帯電話機２の電話番号に関連付けて自動的に記憶してバックアップを行うため、複数台の携帯電話機２の設定データのバックアップを１台の充電装置１により行うことができる。それ故、一家に何台もの充電装置１を用意しなくとも、家族が持っている複数台の携帯電話機２の設定データのバックアップを手軽且つ容易に行うことができ、経済性及びスペース性を向上させることができる。
【００４１】
また、複数台の携帯電話機２を識別するためのＩＤ情報として各携帯電話機に割り当てられている電話番号を用いることにより、ユーザは何も意識することなく、自己所有の携帯電話機２を充電装置１に装着するだけで、当該携帯電話機２の充電装置１への登録が自動的に行われ、複数台の携帯電話機２の設定データのバックアップをメインメモリ１３に登録された電話番号で区別して容易に行うことができる。
【００４２】
また充電先の電子機器のＩＤ情報が未登録の場合は自動的にＩＤ情報を充電装置に登録することにより、ユーザにＩＤ情報の登録等の操作を意識させずに上記効果を得ることができる。
【００４３】
さらに、携帯電話機２の設定データが失われたり、新品の携帯電話機と交換した場合は、スイッチ１６をオンとして携帯電話機２を充電装置１に装着するだけで、当該携帯電話機２の設定データを容易に復元することができる。通常、携帯電話機を買い換えた場合には、以前使っていた電話番号と同じ番号が登録されるので、本発明による充電装置１では、電話番号を基に電話機を識別していることにより、買い換え時にも以前使用していた携帯電話機と同じ設定データを転送することができる。
【００４４】
また、サブメモリ１４に携帯電話機２から読み出したデータを一旦保持してからメインメモリ１３に記憶するため、携帯電話機２からデータが正常に読み出されない場合は、このデータをメインメモリ１３に記憶させないため、不完全なデータによるバックアップを排除でき、信頼性を向上させることができる。
【００４５】
さらに、上記実施の形態では充電装置１の動作状態をＬＥＤ１７、１８で示したが、ＬＣＤのような表示部を設け、この表示部に「設定データの保存中」とか、「登録スペースがなくデータバックアップ不能」等のメッセージを表示しても良いし、このようなメッセージを携帯電話機２の制御部２１に送って、携帯電話機２の表示部２８に表示させても良い。
【００４６】
なお、上記実施の形態では充電装置１にサブメモリ１４を設けたが、サブメモリを設けず、制御部１２が装着された携帯電話機２に割り当てられている電話番号のメインメモリ１３への登録を確かめてから、この携帯電話機２から読み出したデータを前記電話番号に関連付けてメインメモリ１３に直接書き込む構成にしても、携帯電話機２のデータバックアップを行うことができ、同様に１台の充電装置１で複数台の携帯電話機２のデータバックアップを行うことができる。
【００４７】
また、本発明は上記実施の形態に限定されることなく、その要旨を逸脱しない範囲において、具体的な構成、機能、作用、効果において、他の種々の形態によっても実施することができる。上記実施の形態では充電対象が携帯電話機であったが、充電が必要で且つデータのバックアップが必要な電子機器（例えばＰＤＡ等）であれば、本発明を適用して同様の効果を得ることができるが、その際、複数の電子機器を区別するためのＩＤとして充電装置１の制御部１２が読み出せて、その装置固有の情報であればどのようなものでも用いることができる。
【００４８】
また充電装置としては、携帯電話機の外形を保持して充電するタイプや、図４に示すように、コネクタ、ケーブル及びアダプタで構成されるタイプ等、種々の充電装置に適用可能である。好ましくは、携帯電話機の外形に依存しないように図４のものが良い。このとき充電装置１の各機能はコネクタ等に内蔵させれば良い。
【００４９】
更に、上記実施の形態のようにメインメモリ１３とサブメモリ１４を別々に設けるのではなく、メインメモリ１３の所定領域をサブメモリとして使用するようにしても、不完全なデータによるバックアップを排除できる。
【００５０】
【発明の効果】
以上詳細に説明したように、本発明によれば、電子機器の設定データのバックアップをこの電子機器の充電時に当該電子機器の識別情報に関連付けて行うことにより、複数台の電子機器の記憶データのバックアップを１台で容易に行うことができ、これにより、経済性及びスペース性を向上させることができる。
また電子機器を充電する際、電子機器の識別情報と関連付けて記憶手段に記憶された設定データを容易に転送することができ、設定データを消失した場合にも、容易に元のデータを復元することができる。
さらに電子機器から読み出したデータを一旦第２の記憶手段に保持した後第１の記憶手段に記憶させることにより、電子機器から正常に読み出されないデータが第１の記憶手段に記憶されることを排除でき、データバックアップの信頼性を向上させることができる。
また電子機器が携帯電話機であれば各携帯電話機に割り当てられている電話番号を識別情報として容易に利用することができ、しかも、最近では一家に複数台の携帯電話機があることが多く、１台の充電装置により複数台の携帯電話機のデータバックアップを行える効果が極めて有効なことになる。
【図面の簡単な説明】
【図１】本発明の一実施の形態に係る充電装置の構成を示したブロック図である。
【図２】図１に示した充電装置のメインメモリの記憶領域の構成を示した模式図である。
【図３】図１に示した充電装置の携帯電話機への充電時の動作を示したフローチャートである。
【図４】他の実施の形態による充電装置の概観を示す模式図である。
【符号の説明】
１  充電装置
２  携帯電話機
１１  電源部
１２、２１  制御部
１３  メインメモリ
１４  サブメモリ
１５、２５  入出力インターフェース
１６  スイッチ
１７、１８  ＬＥＤ
２２  無線部
２３  メモリ
２４  キー入力部
２６  アンテナ
２７  バッテリパック
２８  表示部（ＬＣＤ等）
【図１】
2004274528.tif 000003
【図２】
2004274528.tif 000004
【図３】
2004274528.tif 000005
【図４】
2004274528.tif 000006